【手続補正書】
【提出日】平成19年7月12日(2007.7.12)
【手続補正１】
【補正対象書類名】明細書
【補正対象項目名】特許請求の範囲
【補正方法】変更
【補正の内容】
【特許請求の範囲】
【請求項１】  ユーザにより呈示された問い合わせに応答して推奨されたメディア型内容品目セットの自動表示を準備する、コンピュータにより実行可能な内容品目照会システムであって、
ａ）内容品目の所定セットの特有な属性間の相対的類似性を表す重み付き関係データを提供するように作動可能な重み付き関係サブシステムと、
ｂ）ユーザの問い合わせに応答してユーザプロフィールデータと前記重み付き関係データとを受信するように結合され、前記ユーザプロフィールデータと前記重み付き関係データとの移動を実行して所定の内容品目に対する内容品目の整理されたリストを準備するように機能する照会サブシステムと、
ｃ）前記ユーザにより検討された内容品目に相関されたユーザ行為挙動を受信するために前記照会システムに結合され、前記ユーザプロフィールデータを前記照会サブシステムに供給する行為解析サブシステムと、
を含むことを特徴とする内容品目照会システム。
【請求項２】  ユーザプロフィールサブシステムは、ユーザが検討した内容品目セットの特有属性間の相対的類似性を表す重み付き関係を反映する形で前記ユーザプロフィールデータを記憶し、
前記照会サブシステムは、前記ユーザプロフィールデータを前記重み付き関係データと結合するように作動可能である、
ことを特徴とする請求項１に記載の内容照会システム。
【請求項３】  前記照会サブシステムは、前記結合されたユーザプロフィールデータ及び前記重み付き関係データ上でグラフ移動システムとして作動可能であることを特徴とする請求項２に記載の内容照会システム。
【請求項４】  前記ユーザが検討した内容品目セットは、前記所定の内容品目セットの部分集合であることを特徴とする請求項３に記載の内容照会システム。
【請求項５】  メディア内容及び関連情報を含むメディア内容品目の第１のデータベースと、前記第１のデータベース内のメディア内容品目に対して限定する属性関係データを識別して提供するメディア内容フィルタとへのアクセスを有し、ネットワーク通信システムに接続されたコンピュータサーバシステムを通じて、ユーザの個人化された興味に対して特に調整されたメディア内容推奨を提供する方法であって、
ａ）潜在的な個人的興味の調査及び検討のために、メディア内容品目をネットワーク接続インタフェースを通じて所定のユーザに呈示する段階と、
ｂ）前記呈示されたメディア内容品目間におけるユーザ主導のナビゲーションと関連情報に対するユーザ要求とを通じて示唆された前記メディア内容品目の前記検討を監視する段階と、
ｃ）前記メディア内容品目に関する前記所定のユーザの相対的検討を反映するユーザ重み付きデータセットを創出するために前記監視段階からデータを収集する段階と、
ｄ）前記呈示段階に一致する前記所定ユーザへの呈示のために、前記第１のデータベースからアクセス可能なメディア内容品目セットを識別する前記メディア内容フィルタと協働して前記ユーザ重み付きデータセットを評価する段階と、
を含むことを特徴とする方法。
【請求項６】  前記データ収集段階は、前記ユーザ重み付きデータセットの連続的改善を更に準備し、それにより、前記評価段階は、前記所定ユーザの前記個人化された興味に対して更に緊密に調整された前記メディア内容品目セットを徐々に準備することを特徴とする請求項５に記載の方法。
【請求項７】  前記データ収集段階は、前記所定ユーザにより為された所定の行為の発生を識別する段階と、異なるメディア内容品目に対する前記所定の行為の継続時間を選択的に決定する段階とを含み、
前記為された所定の行為と前記所定の行為の継続時間とは、前記メディア内容品目に関する前記所定ユーザの相対的検討を反映するために前記ユーザデータセット内に組み込まれることを特徴とする請求項６に記載の方法。
【請求項８】  前記評価段階は、前記メディア内容品目セットを識別する前記メディア内容フィルタを通じて識別された関係を通して推定するために前記ユーザ重み付きデータセットを利用することを特徴とする請求項７に記載の方法。
【請求項９】  前記評価段階は、重み付けデータが前記ユーザ重み付きデータセットを反映するように修正された前記メディア内容フィルタを通じて関連する前記メディア内容品目上のグラフ移動として作動することを特徴とする請求項８に記載の方法。
【請求項１０】  内容照会サーバシステムが供する内容、異なる内容品目の特定事例の特有属性の類似性に基づいて関係付けている情報へのクライアントシステムによる遠隔アクセスを、通信ネットワークを介して、サポートする内容照会サーバシステムであって、
ａ）内容関係システムが参照できる内容の特有属性間の類似性を明らかにする重み付き内容関係情報へのアクセスを提供する内容関係システムと、
ｂ）内容照会サーバシステムにアクセスする際における前記クライアントシステムのユーザのナビゲーション的行為を反映するプロファイリング情報を収集し、そして前記内容関係システムによって参照でき、且つ前記クライアントシステムのユーザによって選択できる内容について前記重み付き内容関係情報と結合可能なプロフィールデータを与えるプロファイリングシステムと、
を含むことを特徴とする内容照会サーバシステム。
【請求項１１】  前記プロファイリングシステムは、前記クライアントシステムの前記ユーザにより選択可能な前記内容の特有属性に対する前記重み付き内容関係情報と結合可能なプロフィールデータを準備することを特徴とする請求項１０に記載の内容照会サーバシステム。
【請求項１２】  前記プロファイリング情報は、内容の特定事例に対する興味の明示的指示と興味の示唆的指示とを反映することを特徴とする請求項１１に記載の内容照会サーバシステム。
【請求項１３】  前記興味の示唆的指示は、内容の特定事例のサンプリングの選択及び継続時間から得られることを特徴とする請求項１２に記載の内容照会サーバシステム。
【請求項１４】  ユーザからの照会に応答して推奨メディア品目セットを自動的に提示する、コンピュータにより実行可能な内容品目照会システムであって、
ａ）内容品目の所定セットの特有な属性間の相対的類似性を表す重み付き関係データを蓄積する第１のデータベースと、
ｂ）内容品目の個別プロフィールセットについての重み付き選好を含むユーザプロフィールデータを蓄積する第２のデータベースと、
ｃ）前記第１のデータベースと前記第２のデータベースとに結合して前記重み付き関係データと前記ユーザプロフィールデータとにアクセスする照会発生システムと
を備え、この照会発生システムはユーザの照会に応答して、前記ユーザプロフィールデータと組合され、そして所定のグラフ精査段階での重み付き挌付けと信頼レベルとによって認定された前記重み付き関係データのグラフの精査を明示して、前記ユーザ照会に応答して所定の最小重み付き挌付けと信頼レベルとを有する内容品目の注文リストを与えることを特徴とする内容品目照会システム。
【請求項１５】  前記内容品目照会システムは前記ユーザに対話形式で応答して、前記ユーザ照会とユーザの挙動を表わすユーザ入力とを受け、そして前記内容品目照会システムは前記第２のデータベースと結合したプロフィール更新システムを更に備えて、前記ユーザが考慮している内容品目に関連したユーザの挙動に応じて前記ユーザに一致するユーザプロフィールデータを更新することを特徴とする請求項１４に記載の内容品目照会システム。
【請求項１６】  前記ユーザの挙動はユーザが考慮している内容品目に関連した所定の属性データを与え、更新重み付き選好は前記所定の属性データから決定でき、そして前記プロフィール更新システムは前記更新重み付き選好で前記第２のデータベースを更新することを特徴とする請求項１４に記載の内容品目照会システム。
【請求項１７】  前記ユーザの挙動はナビゲーションと内容品目選択行為とを含むことを特徴とする請求項１６に記載の内容品目照会システム。
【請求項１８】  前記属性データは所定の内容品目において前記ユーザに内在する関心レベルを明示していることを特徴とする請求項１７に記載の内容品目照会システム。
【請求項１９】  通信ネットワークに結合できるサーバコンピュータシステムにより実行でき、そして分布クライエント・コンピュータシステムを介してのメディア内容品目の査読と選択とに関連しているユーザの動作に対話形式で応答し、メディア内容品目のサンプリングを含み、メディア内容品目の推奨セットを自動的に発生する内容品目照会システムにおいて、
内容品目照会システムは、
ａ）明確な内容品目のセットを記述する第１のノード接続ネットワークを明示するエキスパート重み付け属性データを含むエキスパート・データベースと、
ｂ）複数のユーザプロフイールを含むユーザプロフイールデータベースと
を備え、それぞれのユーザプロフイールは前記明確な内容品目セットのサブセット毎の個人化した重み付き属性データを含んでおり、前記個人化した重み付き属性データは前記複数のユーザプロフイールに関連した明示的そして内在的な動作から引出され、そして前記個人化した重み付き属性データは第２のノード接続ネットワークを明示しており、
更に、前記内容品目照会システムは、
ｃ）前記エキスパート・データベースと前記ユーザプロフイール・データベースとへ結合されている照会システムを備え、この照会システムはユーザ照会に応答して、少なくとも決定された最小集合重み付けを有する前記個人化した重み付き属性データと前記エキスパート重み付き属性データとの組合せにより認定された複数のトラヴァーサル・パスを前記第１と第２のノード接続ネットワークを介して調べ、この複数のトラヴァーサル・パスのターミナル・ノードは前記メディア内容品目の推奨リストを表わしていることを特徴とする内容品目照会システム。
【請求項２０】  前記内容品目照会システムは、前記内容品目のセット内の内容品目関連の明示の、そして内在のユーザ動作を反映するグループの挙動データに応答することを特徴とする請求項１９に記載の内容品目照会システム。
【請求項２１】  前記エキスパート・データベースと前記照会システムとの間に結合されている重み付けフイルタを更に備えており、この重み付けフイルタは前記個人化した重み付き属性データについて前記エキスパート重み付き属性データを正規化することを特徴とする請求項２０に記載の内容品目照会システム。
【請求項２２】  前記重み付けフイルタによる正規化が前記グループの挙動データから引出されることを特徴とする請求項２１に記載の内容品目照会システム。